(57)【要約】【課題】ミストサウナとしても使用できる浴槽を安価に提供する。【解決手段】浴室内において浴槽本体１に、浴槽本体１の上方に入浴者の全身が入れるサウナ室２を密閉状に定義する箱体３が付設されている。箱体３の前面には、浴槽本体１内およびサウナ室２に出入りするための出入口６と、この出入口６を開閉するサウナ扉９とを有する。浴槽本体１の左右の一方の内側面には、半身浴を可能とする腰掛面１０が段付き状に形成されている。箱体３には、サウナ室２に湯を霧状に噴霧するミストノズル１９を備えている。浴槽本体１の腰掛面１０に座した楽な半身浴スタイルで、ミストノズル１９から出るミストで長時間でもミストサウナを楽しむことができる。【選択図】図１
0003118952.tif 000002
【実用新案登録請求の範囲】
【請求項１】
浴槽本体（１）に、浴槽本体（１）の上方に入浴者の全身が入れるサウナ室（２）を密閉状に定義する箱体（３）が付設されており、
箱体（３）の前面に、浴槽本体（１）内およびサウナ室（２）に出入りするための出入口（６）と、この出入口（６）を開閉するサウナ扉（９）とを有し、
浴槽本体（１）の左右の一方の内側面に、半身浴用の腰掛面（１０）が段付き状に形成されており、
箱体（３）には、サウナ室（２）に湯を霧状に噴霧するミストノズル（１９）を備えていることを特徴とするサウナ浴槽。
【請求項２】
浴槽本体（１）の前面壁に、浴槽本体（１）内に出入りするための開口部（１１）が設けられており、
浴槽本体（１）に、前記開口部（１１）を密閉する閉じ姿勢と、前記開口部（１１）を開放する開き姿勢とにわたって浴槽扉（１２）が開閉自在に設けられている請求項１記載のサウナ浴槽。
【請求項３】
浴槽本体（１）に、浴槽本体（１）の上方に入浴者の全身が入れるサウナ室（２）を密閉状に定義する箱体（３）が付設されており、
浴槽本体（１）の左右の一方の内側面に、半身浴用の腰掛面（１０）が段付き状に形成されており、
箱体（３）には、サウナ室（２）に湯を霧状に噴霧するミストノズル（１９）を備えており、
浴槽本体（１）内およびサウナ室（２）に出入りするために、箱体（３）の前面に出入口（６）が、浴槽本体（１）の前面壁に開口部（１１）がそれぞれ設けられており、
この出入口（６）と開口部（１１）とを同時に開閉する一枚の開閉扉（３１）を備えていることを特徴とするサウナ浴槽。
【請求項４】
箱体（３）の上部には、サウナ室（２）の蒸気を外部へ排出する手段が設けられている請求項２または３記載のサウナ浴槽。
【請求項５】
浴室内において浴槽本体（１）の上端開口周縁に外向きに張り出し形成されたフランジ（５）上に、箱体（３）の開口下端が載せ置き固定されている請求項４記載のサウナ浴槽。
【考案の詳細な説明】
【技術分野】
【０００１】
本考案は、バスタブがそのままミストサウナに利用できるサウナ浴槽に関する。
【背景技術】
【０００２】
浴槽本体に、これの上方にサウナ室を密閉状に定義する箱体を付設することは、特許文献１に公知である。サウナ室の箱体の前面壁に、浴槽本体内およびサウナ室に出入りするための出入口と、この出入口を開閉する開閉扉とを設けることは、特許文献２に公知である。浴槽本体の内側面に、半身浴用の腰掛面を段付き状に形成することは、特許文献３に公知である。高齢者や障害者でも浴槽本体内に容易に出入りできるよう、浴槽本体の前面壁を外開き可能にすることは、特許文献４に公知である。
【０００３】
【特許文献１】実公昭４１−１９０５８号公報
【特許文献２】実開昭６３−１４０２８４号公報
【特許文献３】特開２００２−２２３９７２号公報
【特許文献４】特開平１０−３３７３１６号公報
【考案の開示】
【考案が解決しようとする課題】
【０００４】
浴槽に本来の湯浴み機能を付与しながらサウナ浴も可能とするためには、第１に、浴槽本体がこれ単独で本来の使用ができるようにすること、第２に、入浴者が浴槽本体に中腰に座した姿勢で半身浴ができ、そのうえでサウナ浴ができること、第３に、浴槽本体内の湯の有無にかかわらず、浴槽本体内およびサウナ室に支障なく出入りできること、第４に、身障者なども洗い場から浴槽本体内に労なく出入りできることが望まれる。
【０００５】
しかるに特許文献１〜４の公知技術は、上記の要請を個々バラバラに応えているに過ぎなかった。一方、浴槽本体（バスタブ）を備えた浴室に４０℃前後のミストを噴霧することにより、浴室の全体をミストサウナにすることは公知であるが、その場合に既存の浴槽を利用してミストサウナ装置を付設することは、大掛かりな取り付け工事を要し、高価に付きすぎていた。
【０００６】
そこで本考案の目的は、一般家庭においてトータル的に上記の全ての要請に応えながら安価に提供できるサウナ浴槽を提供するにある。
【課題を解決するための手段】
【０００７】
そのために、請求項１記載の本考案に係るサウナ浴槽は、図１および図２に示すごとく浴槽本体１に、浴槽本体１の上方に入浴者の全身が入れるサウナ室２を密閉状に定義する箱体３が付設されており、箱体３の前面に、浴槽本体１内およびサウナ室２に出入りするための出入口６と、この出入口６を開閉するサウナ扉９とを有し、浴槽本体１の左右の一方の内側面に、半身浴用の腰掛面１０が段付き状に形成されており、箱体３には、サウナ室２に湯を霧状に噴霧するミストノズル１９を備えていることを特徴とする。「入浴者の全身が入れるサウナ室２」とは、入浴者が頭部を含めて身体ごと入れることを意味する。ここでの箱体３は、浴槽本体１の外周囲をこれの前面側を含めてスッポリと全面的に覆う形態でもよい。ミストノズル１９は４０℃〜７０℃前後のミスト（微細な水滴）をサウナ室２に噴霧し、サウナ室２の温度および湿度を高めて入浴者に発汗を促すために存する。ミストノズル１９からのミストの温度は、入浴者がミストを全身に浴びるか否かなどの諸条件によって、適温に調節できる。
【０００８】
請求項２記載の本考案は、請求項１記載のサウナ浴槽において、図３および図４に示すごとく浴槽本体１の前面壁に、浴槽本体１内に出入りするための開口部１１が設けられており、浴槽本体１に、前記開口部１１を密閉する閉じ姿勢と、前記開口部１１を開放する開き姿勢とにわたって浴槽扉１２が開閉自在に設けられている。浴槽本体１が小さい場合には、浴槽扉１２は実際上、外開き式になるであろう。
【０００９】
請求項３記載の本考案は、図５に示すごとく浴槽本体１に、浴槽本体１の上方に入浴者の全身が入れるサウナ室２を密閉状に定義する箱体３が付設されており、浴槽本体１の左右の一方の内側面に、半身浴用の腰掛面１０が段付き状に形成されており、箱体３には、サウナ室２に湯を霧状に噴霧するミストノズル１９を備えている。そして、浴槽本体１内およびサウナ室２に出入りするために、箱体３の前面に出入口６が、浴槽本体１の前面壁に開口部１１がそれぞれ設けられており、この出入口６と開口部１１とを同時に開閉する一枚の開閉扉３１を備えていることを特徴とする。
【００１０】
請求項４記載の本考案では、請求項２または３記載のサウナ浴槽において、箱体３の上部に、サウナ室２の蒸気を外部へ排出する手段が設けられている。図示例の上面開口２２がこれに該当する。
【００１１】
請求項５記載の本考案では、請求項４記載のサウナ浴槽において、浴室内において浴槽本体１の上端開口周縁に張り出し形成されたフランジ５上に、箱体３の開口下端が載せ置き固定されている。その場合、既設の浴槽本体１に箱体３が後付けされることも予測している。
【考案の効果】
【００１２】
請求項１記載の本考案によれば、入浴者は、浴槽本体１内に湯水が有る無しにかかわらず、箱体３の前面に設けた出入口６を利用することにより、浴槽本体１の前面壁を跨いでサウナ室２ひいては浴槽本体１内に出入りできる。浴槽本体１を通常の湯浴みに用いるときは、夏場であれば出入口６を開放し、冬場ではサウナ扉９で出入口６を閉じて入浴すればよい。その際に、入浴者は浴槽本体１の腰掛面１０に座して半身浴ができる。ミストノズル１９からサウナ室２にミストを噴霧することにより、半身浴をしながらミストサウナに切り換えることができる。浴槽本体１に湯水が入っていなくても、サウナ浴を楽しむことができる。
【００１３】
請求項２記載の本案サウナ浴槽によれば、身体障害者などは、浴槽本体１の前面壁を跨がなくても浴槽扉１２を直に開けた状態で浴槽本体１内に出入りでき、入浴の介助に労を要しない。
【００１４】
請求項３記載の本案サウナ浴槽によれば、出入口６と開口部１１とを同時に開閉する一枚の開閉扉３１で構成しているので、ナウナ扉９と浴槽扉１２とを同時に開閉したい場合などに、両扉９・１２を開閉操作する二度手間を省ける。
【００１５】
請求項４記載の本案サウナ浴槽によれば、箱体３の上部から蒸気を外部に排出することによりサウナ室２を適温かつ適切な湿度雰囲気に調節でき、使用後に湿気が篭もってサウナ室２内にカビが発生するのを抑止できる。
【００１６】
請求項５記載の本案サウナ浴槽によれば、浴槽本体１の上端開口周縁に設けた外周フランジ５を利用して、これの上に箱体３を載せ置くだけであるから、浴槽本体１と箱体３とを分解して搬入したのち、浴室内において両者を簡単に組み付けることができる。既存の浴槽本体１に対しても、箱体３を簡単な工事で付設できる。
【考案を実施するための最良の形態】
【００１７】
（実施例１）  図１ないし図４は、本考案の実施例１を示す。図１において本案サウナ浴槽は、平面視で左右横長に形成したステンレス製の浴槽本体１と、浴槽本体１の上方に入浴者の全身が頭部を含めて丸ごと入れるサウナ室２を密閉状に定義する角箱状の箱体３とを有する。図４の符号４は浴槽本体１の底に設けた排水口を示す。
【００１８】
浴槽本体１の上端開口周縁には、図１に示すごとくフランジ５が外向きに張り出し形成されている。下面が開口している箱体３は、下端をフランジ５上にねじ止め等で取り付けることにより、浴槽本体１上に箱体３をユニット化して一体に付設する。
【００１９】
箱体３の前面には、浴槽本体１の前面壁を跨いで浴槽本体１およびサウナ室２に入浴者が出入りするための出入口６が設けられている。この出入口６は、箱体３に付設した把手７付きのサウナ扉９で開閉自在に密閉できる。図の扉９は、図２に示すごとく箱体３の前面壁にヒンジ８を介して前開き式に枢結した。
【００２０】
浴槽本体１の左方の内側面には、図２および図３に示すごとく、上下中間高さ位置に半身浴用の腰掛面１０が段付き状に形成されている。これにて入浴者は、腰掛面１０に座して半身浴スタイルで入浴できる。
【００２１】
浴槽本体１の前面壁には、図３に示すごとく浴室の洗い場から浴槽本体１内に前面壁を跨ぐことなくそのまま出入りできる開口部１１が設けられている。この開口部１１は浴槽扉１２で開閉できる。浴槽扉１２は、浴槽本体１の前面壁に対して、前記開口部１１を密閉する図４の閉じ姿勢と前記開口部１１を開放する図３の開き姿勢とにわたって外開き可能に枢結されている。具体的には、浴槽扉１２の基端側が浴槽本体１側にヒンジ１３を介して開閉揺動自在に枢結されている。浴槽扉１２の揺動先端側には、内外に把手１５が設けられている。
【００２２】
浴槽扉１２は、浴槽本体１に対してこれの前面開口部１１を閉じた状態でロック保持できる。そのために、浴槽本体１の前面開口部１１の開口周縁には圧搾空気で膨張変形できる管状パッキン１６を配し、管状パッキン１６に浴槽扉１２の周縁部を接合した密着状態で浴槽本体１に浴槽扉１２をロック保持したのち、図２に示すごとく管状パッキン１６に外部のコンプレッサ１７から圧搾空気を送給して水もれを防ぐエアシール手段を備えている。
【００２３】
箱体３には、サウナ室２に湯を霧状に噴霧するミストノズル１９が配備されている。具体的には、ミストノズル１９から噴霧されるミストの温度は４０〜４２℃に設定されるであろう。箱体３の外部には、ミストノズル１９にミストを供給するためのガス給湯器２０などを含むミスト発生用室外ユニットを備えている。
【００２４】
箱体３の上壁２１には、図２に示すごとく、サウナ室２の蒸気を外部へ排出するための開口部２２が設けられている。この上面開口部２２は、蓋２３で開量を調整しながら開閉できる。
【００２５】
符号２５は、サウナ室２に配備されてサウナ室２の蒸気を浴室の換気扇２９へ効率よく導入案内するためのファンであり、送風方向を調節できるよう回動可能に設置されている。図２において、符号２６はサウナ室２に設けた照明灯、２７はサウナ室２に設けた操作パネルである。
【００２６】
浴槽としてのみ使用する場合、入浴者は図１に示すごとく浴槽本体１に湯を張った状態で箱体３の出入口６および上面開口２２の蓋２３を開け、浴槽本体１の前面壁を跨いで浴槽本体１内に入ることになる。入浴中は、入浴者の好みに応じて出入口６は開き状態または閉じ状態にしておけばよく、上面の開口部２２を開き状態にしておけば屈むことなく浴槽本体１内に入ることができる。
【００２７】
入浴者は出入口６のサウナ扉９を閉じ、腰掛面１０に座した楽な半身浴スタイルでサウナ浴をすることができる。このとき、サウナ室２は箱体３で密閉状に区画されているので、浴槽本体１に溜める湯量は、少量でも問題はない。入浴者は操作パネル２７を操作して、ミストノズル１９からミストを噴霧させると、サウナ室２は高温、高湿となって望み通りの時間を掛けてミストサウナを楽しむことができる。サウナ室２の温湿度雰囲気は上面開口２２の開量を蓋２３で調整することで調節でき、必要に応じて操作パネル２７で前記ファン２５を起動させることにより、サウナ室２の蒸気を上面開口部２２から浴室に設けた換気扇２９に導いて調節してもよい。
【００２８】
浴槽本体１はサウナ浴にのみに供することもできる。その場合は、浴槽本体１に湯を張るまでもない。また、例えば身体障害者は、浴槽本体１の前面の浴槽扉１２を外開きして中に入ったのち、前面壁６を閉じればよく、浴槽本体１内およびサウナ室２への出入りが楽に行える。その際、浴槽本体１の前面開口部１１は、浴槽扉１２で確りと密閉できるので、浴槽本体１内に入浴者が入ったのち、浴槽本体１に湯を入れたり、図外のシャワーで湯を浴びることもできる。
【００２９】
（実施例２）  図５は、本考案の実施例２を示す。実施例１ではナウナ扉９と浴槽扉１２とが別個独立して開閉できるようになっていたが、実施例２では、箱体３の出入口６と浴槽本体１の開口部１１とを同時に開閉する一枚の開閉扉３１で構成した。したがって、実施例２では、実施例１における浴槽扉１２用の把手１５は有していない。その他は実施例１と同様であるので、同じ部材に同じ符号を付してその説明を省略する。
【００３０】
実施例１および実施例２において、ミストノズル１９から噴霧のミストは、入浴者が全身で直接に浴びてもよく、ミストノズル１９のミスト噴霧角度およびミスト温度は、使い方に応じて適宜調整できる。
【図面の簡単な説明】
【００３１】
【図１】図２のＡ−Ａ線断面図
【図２】実施例１の正面図
【図３】サウナ室および浴槽扉を開けた状態での図２のＢ−Ｂ線断面図
【図４】図２のＣ−Ｃ線に沿う断面図
【図５】実施例２の正面図
【符号の説明】
【００３２】
１  浴槽本体
２  サウナ室
３  箱体
５  フランジ
６  出入口
９  サウナ扉
１０  腰掛面
１１  浴槽本体の開口部
１２  浴槽扉
１９  ミストノズル
【図１】
0003118952.tif 000003
【図２】
0003118952.tif 000004
【図３】
0003118952.tif 000005
【図４】
0003118952.tif 000006
【図５】
0003118952.tif 000007